Podtech/llm-jp-corpus-v4-ja_patent huggingface dataset:
(57)【要約】【課題】  止水板をコンクリート等固体壁の溝にはめるだけで完全止水ができるようにする。【解決手段】  ビニール等の素材で作られた小幅の薄い膜４枚程度を重ねて、その端を止水板の縁に取り付ける。これにより、泥での目地止めの必要が無く、この止水板を溝にはめるだけで完全止水ができる。ときに僅かな水漏れがあるときはその場所の薄膜を隙間部分に押し込めばよい。漏水防止膜は、意外と丈夫で長持ちをし、補修も簡単にでき、驚くほど簡便に漏水防止に役立つ。【選択図】図１
0003127508.tif 000002
【実用新案登録請求の範囲】
【請求項１】
ビニール等の素材で作られた小幅の薄い膜４枚程度を重ねて、その端を板の縁に取り付けた形の漏水防止機能付き止水板
【考案の詳細な説明】
【技術分野】
【０００１】  本考案は、コンクリート製のＵ字溝、田の水の取り入れ口、排水口及び三面コンクリート壁の川等の止水板に関するものである。
【背景技術】
【０００２】  農業の稲作において、止水板は間断潅水などで度々開閉しなければならないのであるが、従来は、その都度板同士間及びコンクリートと板の隙間を泥で塞ぎ大変面倒であった。
【考案の開示】
【考案が解決しようとする課題】
【０００３】  止水板をコンクリート等固形物の溝にはめるだけで完全止水ができるようにする。
【課題を解決するための手段】
【０００４】  ビニール等の素材で作られた小幅の薄い膜４枚程度を重ね、その端を漏水防止膜として止水板の縁に取り付ける。
【考案の効果】
【０００５】  泥での目地止めの必要が無く、この止水板をコンクリートの溝にはめるだけでほぼ完全止水ができる。僅かな水漏れがある場合は、その場所の薄膜を隙間部分に押し込めばよい。漏水防止膜は、意外と丈夫で長持ちをし、補修も簡単にでき、驚くほど簡便に漏水防止に役立つ。
【考案を実施するための最良の形態】
【０００６】  従来は木材の板を使っていたが、四，五年もすると毎年一、二枚取り替えていた。特にＵ字溝の板はかたどりが難しく面倒である。このことから、板も膜もビニール等のプラスチック系素材を使用することが望ましい。
【実施例】
【０００７】  以下、添付図面の図１と図２に従って一実施例を説明する。図１は田の排水口用の漏水防止機能つき止水板である。１は硬さと耐久性が適切なプラスチック系素材で作られた止水板で、２は開閉のための板の取手である。３は３センチ幅程度のビニール等の素材でできた薄膜を４〜５枚重ね、その一端を板の周辺部の、上部を除く左右下部の三部表面に固定させた漏水防止膜である。【０００８】  板同士の間及び板とコンクリートとの間に泥などを塗りつける必要なく、この止水板を置くだけで十分漏水は防げる。【０００９】  板の色は一例として黒色とねずみ色の二色とする。ねずみ色の板二枚を一排水口に配置し、その一枚の下端面は完全排水位置とし、もう一枚の上端面は浅水管理位置として使用してはどうか。黒色板は適宜枚数を用意する。【００１０】  図２はＵ字溝用止水板及び水の取り込み口用止水板である。Ｕ字溝用止水板の高さは、増水時にあふれてはいけないので、溝の深さの中位がよい。【００１１】  水の取り入れ口用止水板は、高さは溝の上までとし、漏水防止膜を板の裏側につける。【００１２】  図１、図２のいずれも、流水の中での板の装着は、一方の手で板を持ち、他方の手で、膜を水上側に折りたたんで指を広げて押さえ、両手で行う。川の止水版のような大型の板の場合は、幅をいくぶん広くした漏水防止膜を二本用意し、それぞれ縦方向だけを固定し、その先を底部に沿って伸ばしたとき、１５センチくらい重なるようにしておく。装着時には膜の先端部を水上側から板の上端に掛けて板を装着し、その後に膜の先端部を底部隙間部に埋め込んでいく。
【産業上の利用可能性】
【００１３】  農業用給排水止水板としてだけでなく、豪雨時などの防災用で周囲が固体壁の場所での止水板等、同様場所の多方面でこの漏水防止膜が役立つ。
【図面の簡単な説明】
【００１４】
【図１】田の排水口用漏水防止膜付き止水板
【図２】Ｕ字溝用及び田の水の取口用漏水防止膜付き止水板
【符号の説明】
【００１５】    １      止水板
２      手がかりとしての板の取手
３      漏水防止膜
【図１】
0003127508.tif 000003
【図２】
0003127508.tif 000004
(57)【要約】      （修正有）【課題】本考案は、プラスチック成型品の戻りを利用したロールペーパーホルダーに関するものである。【解決手段】コの字のプラスチック成型品の曲げた戻りを利用してペーパーを挟み込むようにしたロールペーパーホルダー。【選択図】図１
0003127505.tif 000002
【実用新案登録請求の範囲】
【請求項１】
内側に曲げたコの字プラスチック成型品の左右に丸型の取付け部を付けたロールペーパーホルダー。
【考案の詳細な説明】
【考案の詳細な説明】
【産業上の利用分野】
この考案はプラスチック成型品のバネを利用したロールペーパーホルダーに関するものである。
【背景技術】従来ロールペーパーホルダーはあったが片手でカットする事が出来なかった
【考案が解決しようとする課題点】
本案はその欠点を除いて片手でカットできるようにした。
【課題を解決するための手段】
図１、ロールペーパーホルダーを外側に曲げ開いてロールペーパーを  図４  に挟み込む、プラスチックのバネによりペーパーの動きが重たくなり片手で簡単に切ることが出来る  取り付け穴にネジ、吸盤、両面テープ等使うことにより  あらゆる場所にて使うことが出来る。
【考案の効果】
台所仕事など両手の作業が多いとき煩わしさが無く片手でペーパーが切れる
【図面の簡単な説明】
【図１】本考案の上面図
【図２】前面図
【図３】側面図
【図４】取付図
【符号の説明】
１．ホルダー本体    ２．加わる力（矢印）    ３．ロールペーパー
【図１】
0003127505.tif 000003
【図２】
0003127505.tif 000004
【図３】
0003127505.tif 000005
【図４】
0003127505.tif 000006
(57)【要約】【課題】  立体写真入りハガキに用いる短冊形ビューアーが手元に無き場合は、立体視は見辛く不便であり、外にもハガキとビューアーの両方の保管も煩わしい等の課題。【解決手段】  １枚の立体写真入りハガキ本体（図２の３）の写真裏側（図３の４）には、１枚の短冊形ビューアー（図１の１）の収納用ポケット部（図４の６）を設置すれば課題は解決する。【選択図】図５
0003127509.tif 000002
【実用新案登録請求の範囲】
【請求項１】
１枚の立体写真入りハガキ本体の写真裏側には１枚の短冊形ビューアーを収納するポケット部を設置した立体写真入りハガキ。
【考案の詳細な説明】
【技術分野】
【０００１】  本考案は、立体写真入りハガキ本体に、専用のビューアーを収納するポケット部を設置した立体写真入りハガキに関するものである。
【背景技術】
【０００２】  従来の立体写真入りハガキ（図２の３）は、殆どがレンズ有用で立体視が行われている。僅かだがレンズ無用で少々技術が必要だが、１枚の短冊形ビューアー（図１の１）を介しての立体視もある。
【考案の開示】
【考案が解決しようとする課題】
【０００３】  しかし、この１枚の短冊形ビューアーが手元に無き場合は、立体視は見辛く、不便である。外にも常時この別個のハガキとビューアーの両方の保管も面倒である。
【課題を解決するための手段】
【０００４】  そこで本考案は、１枚の立体写真入りハガキの写真裏側（図３の４）には、刀剣を入れる鞘の様に、１枚の短冊形ビューアーを収納するポケット部（図４の６）を設置して利用すれば、ハガキとビューアーは一体的であり、保管及び立体視には都合がよい。
【考案の効果】
【０００５】  本考案は、ハガキとビューアーの両方の保管が一括で済む利便性と、立体視に際しては、ビューアーを素早くポケット部から取り出して見る機能性とが相伴って、立体写真の鑑賞には一層の普及と楽しみを与えてくれる。
【考案を実施するための最良の形態】
【０００６】  本考案に係わる立体写真入りハガキ（図２の３）の写真裏側（図３の４）には、薄くて丈夫な適寸の板紙（図３の５）を付着して短冊形ビューアー（図１の１）の収納用ポケット部（図４の６）を設置する。立体視が終われば、１枚のビューアーは狭い差し込み口のポケット部へ図５の如く収納する。
【図面の簡単な説明】
【０００７】
【図１】  短冊形ビューアーの正面図。
【図２】  立体写真入りハガキの写真側の正面図。
【図３】  立体写真入りのハガキの写真裏側の正面図。
【図４】  立体写真入りのハガキの写真裏側の正面図。
【図５】  立体写真入りのハガキの写真裏側の正面図。
【符号の説明】
【０００８】  １      短冊型ビューアー。
２      左右の立体写真。
３      立体写真入りハガキの写真例。
４      立体写真入りハガキの写真裏側。
５      適寸の板紙。
６      ビューアーの収納用ポケット部。
【図１】
0003127509.tif 000003
【図２】
0003127509.tif 000004
【図３】
0003127509.tif 000005
【図４】
0003127509.tif 000006
【図５】
0003127509.tif 000007
(57)【要約】      （修正有）【課題】取り扱い操作が容易で安全な電動アシスト機構付きベビーカーの実現と、従来のベビーカーの構造を大幅に変更することなく構造が単純かつ低コストの電動アシスト機構付きベビーカーを提供する。【解決手段】バッテリに接続されるモーターを介して、モーターに連結されるディファレンシャルギヤに連結される回転軸でベビーカーの車輪を駆動する電動アシスト機構付きベビーカーであり、本考案により取り扱い操作が容易で安全な電動アシスト機構付きベビーカーを実現できた。また、構造が単純かつ低コストで、従来のベビーカーの構造を大幅に変更することなく電動アシスト機構付きベビーカーを提供する。【選択図】図１
0003127472.tif 000002
【実用新案登録請求の範囲】
【請求項１】
動力源と、同動力源に電力制御器を介して接続される駆動手段と、同駆動手段に連結される差動装置と、同差動装置に連結される回転軸と、同回転軸を介して駆動される車輪からなる駆動伝達機構を備えてなることを特徴とする、電動アシスト機構付きベビーカー。
【請求項２】
バッテリからなる動力源と、同動力源に電力制御器を介して接続される電動モーターからなる駆動手段と、同駆動手段に連結されディファレンシャルギヤからなる差動装置と、同差動装置に連結される回転軸と、同回転軸を介して駆動される車輪からなる駆動伝達機構を備えてなることを特徴とする、電動アシスト機構付きベビーカー。
【考案の詳細な説明】
【技術分野】
【０００１】  本考案は、人力駆動のベビーカーの動力を、バッテリやモーター等を介在させて補助する、駆動伝達機構を備えるベビーカーに関するものである。
【背景技術】
【０００２】  乳幼児を外出移動させる場合に、いす型またはベッド型に車輪を備えた人力駆動のベビーカーがある。
【考案の開示】
【考案が解決しようとする課題】
【０００３】  一般のベビーカーの駆動動力源は人力のみで、上り坂や重い荷物を積載した場合に労力が足りず移動が困難であった。また、ベビーカーで電動アシスト機構を実現しようとする場合、構造が複雑で高コストになっていた。
【課題を解決するための手段】
【０００４】  バッテリからなる動力源と、同動力源に電力制御器を介して接続される電動モーターからなる駆動手段と、同駆動手段に連結されディファレンシャルギヤからなる差動装置と、同差動装置に連結される回転軸と、同回転軸を介して駆動される車輪からなる駆動伝達機構を備えた電動アシスト機構付きベビーカーである。具体的には、駆動伝達機構は、動力源で一つの駆動手段を駆動し、駆動力は内輪差を解消する差動装置を介して、左右の回転軸へ伝達される。回転軸と車輪は、必要に応じて駆動力が伝達されるよう、クラッチからなる断続装置で分離および接続できる。また、動力源に接続される電力開閉器と、同電力開閉器に接続される電力調整器からなる電力制御器を備え、動力源から駆動手段への電力供給を制御する。
【考案の効果】
【０００５】  人力のみで、上り坂や重い荷物を積載した場合に労力が足りず移動が困難であったベビーカーにおいて、本考案により、取り扱い操作が容易で安全な電動アシスト機構付きベビーカーが実現できた。また、課題を解決するための手段に記載したように、駆動伝達機構と電力制御器の構造が単純であるため、従来のベビーカーの構造を大幅に変更することなく、かつ低コストで実現できた。
【実施例】
【０００６】  本考案に係る実施例を、図１から図３を参照して以下に説明する。
（イ）動力源１にはバッテリを設けた。バッテリは充電交換可能なものがよい。
（ロ）駆動手段２には電動モーターを設けた。
（ハ）差動装置３にはディファレンシャルギヤを設けた。差動装置３は、内輪差を解消するためのもので、旋回時に左右の回転軸４へ駆動力を適正に分配する。
（ニ）同回転軸４を、それぞれ左右の車輪５に接するように配置した。さらに、同回転軸４と車輪５が、必要に応じて分離されるよう、断続装置７にはクラッチ１１を設けた。
（ホ）電力制御器１０において、電力開閉器８にはスイッチを設け、スイッチが通電状態の場合のみ、駆動できるようにした。
（ヘ）電力制御器１０において、電力調整器９には可変抵抗を設け、必要に応じて車速の調整ができるようにした。
（ト）駆動伝達機構６を電動アシスト機構付きベビーカー１２の座面下部に設置し、電力制御器１０をベビーカーのハンドル１３に設置した。
本考案の実施例は以上のような形態で、これを使用するときには、クラッチ１１を駆動側に入れ、電力開閉器８で通電して前進させる。必要に応じて、電力調整器９により速度を調整して前進させる。
【産業上の利用可能性】
【０００７】  本考案は、身障者用の車いすや、荷物運搬用のカートにも利用することが可能である。
【図面の簡単な説明】
【０００８】
【図１】本考案に係るベビーカーの駆動伝達機構と電力制御器の系統図である。
【図２】本考案に係る動力供給制御機構の断続装置の作動イメージである。
【図３】本考案に係る電動アシスト機構付きベビーカーの斜視図である。
【符号の説明】
【０００９】  １    動力源（バッテリ）
２    駆動手段（モーター）
３    差動装置（ディファレンシャルギヤ）
４    回転軸
５    車輪
６    駆動伝達機構
７    断続装置
８    電力開閉器
９    電力調整器
１０  電力制御器
１１  クラッチ
１２  電動アシスト機構付きベビーカー
１３  ハンドル
【図１】
0003127472.tif 000003
【図２】
0003127472.tif 000004
【図３】
0003127472.tif 000005
(57)【要約】【課題】一対の突出管を鼻孔に挿入した状態で鼻孔カニューラを確実に、かつ、使用者に痛みや不快感を与えることなく固定することができるようにする。【解決手段】  酸素ボンベに接続されたチューブ１に鼻孔挿入用の一対の突出管３を備えさせてなる鼻孔カニューラにおいて、該チューブ１には該チューブ１を使用者の左右の耳７に係止するための左右一対の弾性紐９を備えさせたことを特徴とする鼻孔カニューラ。弾性紐９は、好ましくは、ゴム紐とする。【選択図】図１
0003127422.tif 000002
【実用新案登録請求の範囲】
【請求項１】
酸素ボンベに接続されたチューブに鼻孔挿入用の一対の突出管を備えさせてなる鼻孔カニューラにおいて、
該チューブには該チューブを使用者の左右の耳に係止するための左右一対の弾性紐を備えさせたことを特徴とする鼻孔カニューラ。
【考案の詳細な説明】
【技術分野】
【０００１】
本考案は、鼻孔カニューラに関するものであり、更に詳しくは、呼吸器疾患等の患者に酸素を供給するための酸素吸入用具としての鼻孔カニューラに係るものである。
【背景技術】
【０００２】
鼻孔カニューラとしては、酸素ボンベに接続されたチューブに鼻孔挿入用の一対の突出管を備えさせてなるものが従来より使用されている。
【０００３】
鼻孔カニューラを使用する際には、一般に、一対の突出管を鼻孔に挿入した状態でチューブを両耳上に係止するという手法が用いられている。また、乳幼児等の場合には、チューブを手で弄ってずらしてしまうおそれがあるため、これを防止するようにチューブを粘着テープにより顔面における左右両側部に固定するという手法が用いられている。
【０００４】
特開平１０−２４１０７号公報は、鼻孔挿入用の一対の突出管をクリップとなし、該クリップを両鼻孔に挿入し、該クリップに鼻中隔を挟持させるようにした鼻孔カニューラを開示している。
【特許文献１】特開平１０−２４１０７号公報
【考案の開示】
【考案が解決しようとする課題】
【０００５】
しかるに、単にチューブを両耳上に係止したのみでは、チューブが耳から脱落するおそれがある。また、チューブを粘着テープにより顔面における左右両側部に固定する場合には、粘着テープが顔面より剥れて鼻孔カニューラが脱落するおそれがあると共に、粘着テープを常時顔面に粘着することは不快であり、皮膚に悪影響を及ぼすおそれがある。
【０００６】
一方、クリップを両鼻孔に挿入し、該クリップに鼻中隔を挟持させるようにした鼻孔カニューラにおいては、使用者に痛みや不快感を与えるのみならず、鼻中隔が傷つくおそれもある。
【０００７】
本考案は、上記従来の鼻孔カニューラにおける上述の如き問題を解決し、一対の突出管を鼻孔に挿入した状態で鼻孔カニューラを確実に、かつ、使用者に痛みや不快感を与えることなく固定することができるようにしようとしてなされたものである。
【課題を解決するための手段】
【０００８】
上記課題を解決するために、本考案は下記の鼻孔カニューラを提供するものである。
【０００９】
酸素ボンベに接続されたチューブに鼻孔挿入用の一対の突出管を備えさせてなる鼻孔カニューラにおいて、
該チューブには該チューブを使用者の左右の耳に係止するための左右一対の弾性紐を備えさせたことを特徴とする鼻孔カニューラ。
【考案の効果】
【００１０】
本考案によれば、鼻孔カニューラを使用する際には、各弾性紐とチューブとの間に各耳を挟持させることにより、チューブを各耳に極めて容易に、かつ、確実に係止させることができる。また、各弾性紐とチューブとの間に各耳を挟持させるようにしたため、使用者に痛みや不快感を与えるおそれはなく、使用者の皮膚に悪影響を及ぼすこともない。
【考案を実施するための最良の形態】
【００１１】
本考案の鼻孔カニューラは、酸素ボンベ（図示せず。）に接続されたチューブ１に鼻孔挿入用の一対の突出管３、３を備えさせてなるものであるという点においては、従来の鼻孔カニューラと同様である。
【００１２】
即ち、図示の事例においては、酸素ボンベに接続された一対のチューブ１、１を中央部にて中央管５により相互に連結し、該中央管５に一対の突出管３、３を備えさせている。各突出管３が中央管５と連通していることはいうまでもない。
【００１３】
しかして、本考案においては、前記チューブ１、１には該チューブ１、１を使用者の左右の耳７、７に係止するための左右一対の弾性紐９、９を備えさせる。
【００１４】
弾性紐９は、好ましくは、ゴム紐とする。
【００１５】
弾性紐９は、チューブ１と該弾性紐９との間に耳７を挟持するに適した長さを有し、このように耳７を挟持するに適した位置になるようにチューブ１に取り付けるものとする。
【図面の簡単な説明】
【００１６】
【図１】本考案による鼻孔カニューラの使用状態を示す側面図である。
【図２】同上鼻孔カニューラの平面図である。
【符号の説明】
【００１７】
１  チューブ
３  突出管
５  中央管
７  耳
９  弾性紐
【図１】
0003127422.tif 000003
【図２】
0003127422.tif 000004
(57)【要約】      （修正有）【課題】本考案は、組立てブロックで動物や建造物の形状を組立てる際の基台として使用し、或いは乗り物のボディー等に使用する組立てブロック用包装箱を提供する。【解決手段】ブロックの一面に凸部を、他面に別のブロックの凸部を嵌合する凹部を設けてなる、多数の組立てブロックを収納する箱体の、少なくとも対向する二側面に、組立てブロックの凸部を嵌合する多数の嵌め込み孔を対設している。【選択図】図２
0003127427.tif 000002
【実用新案登録請求の範囲】
【請求項１】
ブロックの一面に凸部を、他面に別のブロックの凸部を嵌合する凹部を設けてなる、多数の組立てブロックを収納する箱体の、少なくとも対向する二側面に、組立てブロックの凸部を嵌合する多数の嵌め込み孔を対設したことを特徴とする組立てブロック用包装箱。
【考案の詳細な説明】
【技術分野】
【０００１】
本考案は、組立てブロックを市販する際に収納する包装箱であって、この包装箱を組立用基台とし、或いは、この包装箱を乗り物のボディーとしても使用することができる組立てブロック用包装箱に関するものである。
【背景技術】
【０００２】
実用新案登録第３０３９６２２号公報には、積木箱の蓋に積木の凹部を嵌め込む多数の凸部を突設し、この凸部を利用して蓋の上に積木を組み合わせる積木箱が開示されている。この場合の積木箱は、積木の収納及び積木の組立てる際の基台として使用することはできても、箱自体を乗り物のボディー等に使用し得るものではない。
【０００３】
特開平９−１８７５７９公報には、積木箱の壁面に積木を嵌合し、この積木を取り外しのできる開口部を設けたものが開示されている。この積木箱は、幼児に多数の形状及び模様の積木を覚えさせようとするものであって、箱体を積木の組立て用基台として、或いは乗り物のボディーとしては使用することはできない。
【０００４】
【特許文献１】実用新案登録第３０３９６２２号公報
【特許文献２】特開平９−１８７５７９公報
【考案の開示】
【考案が解決しようとする課題】
【０００５】
本考案は、組立てブロックの商品を包装するための箱体を、組立てブロックで動物や建造物の形状を組立てる際の基台として使用し、或いは乗り物のボディー等に使用する組立てブロック用包装箱を提供しようとするものである。
【課題を解決するための手段】
【０００６】
上記の目的を達成するために、請求項１の考案は、ブロックの一面に凸部を、他面に別のブロックの凸部を嵌合する凹部を設けてなる多数の組立てブロックを収納する箱体の、少なくとも対向する二側面に、組立てブロックの凸部を嵌合する多数の嵌め込み孔を対設したことを特徴としている。
【０００７】
上記請求項１の組立てブロック用包装箱は、子供達が箱体内から取り出した組立てブロックの一面より突出する凸部を、箱体に穿設した嵌め込み孔に差し込んで固定し、そのブロックの他面の凹部に、別のブロックの凸部を嵌合し、同様に多数のブロックを順次連結して、箱上に動物形状とか、建造物の形状を組立てる。また両端に凸部を設けた２個のブロック、又は複数個のブロックの凸部と凹部を連結して両端に凸部を形成した２個のブロックを、箱体内の前後に入れ、両端の凸部を左右に対向する嵌め込み孔に嵌入し、箱体の前後位置から外側に突出した凸部に車輪を嵌合して乗り物を構成する。
【考案の効果】
【０００８】
本考案の組立てブロック用包装箱は、組立てブロックで動物や建造物の形状を組立てる際に、この箱体を基台として使用することができる。また箱体を乗り物のボディー等に使用し得るので、子供達は組立てブロックと箱体により、新たな組立てを楽しむことができる効果がある。
【考案を実施するための最良の形態】
【０００９】
以下、図１乃至図４を参照して、請求項１の考案の実施形態を詳述する。図１は組立てブロック用包装箱の斜視図であり、図２は同上縦断面図であり、図３はバスのボディーに使用した状態を示す斜視図であり、図４は飛行機のボディーに使用した状態を示す斜視図である。
【００１０】
図中の符号１は多数の組立てブロック２を収容する段ボール製の包装箱であり、左右両側面に、組立てブロック２の一面に形成した凸部３を嵌合する多数の嵌め込み孔４を左右対称に穿設すると共に、上面にも、凸部３を嵌合する四角形の多数の嵌め込み孔４を穿設している。
【００１１】
上記組立てブロック２は、断面四角形の主杆ａの一面に凸部３を設け、他面に別の組立てブロック２の凸部３が嵌合する凹部５を設けている。また組立てブロック２の一種である車輪６は、中央に組立てブロック２の凸部３に嵌合する四角形の透孔７を設け、外周の回転部８を備えている。
【００１２】
上記の実施形態における箱体１にあっては、これを基台とし、図２に鎖線で示すように、四角形の嵌め込み孔４に組立てブロック２の四角形の凸部３を嵌合することにより、動物とか建物を緩みなく組立てることができる。
【００１３】
図２に鎖線で示すように、両端に凸部３を設けた前後一対の長いブロック２を箱体１内の前後に入れ、両端の凸部３を左右に対向する嵌め込み孔４に嵌合した後、箱体１から突出した凸部３に車輪６を取付ければ、図３に示すようにバスを組立てることができる。上記長いブロック２は左右両端に凹部５を設けたブロック２の両側に、左右両端に凸部３を設けた２個のブロック２を連結して長く形成したものを使用することもある。また、短かい組立ブロック２を２個を使い、夫々の凸部３を左右の嵌め込み孔４に嵌合し、箱体１の外側に突出した凸部３に夫々車輪６を嵌合することもある。図４に示すように、箱体１をボディーとした飛行機を組立てることもできる。
【図面の簡単な説明】
【００１４】
【図１】本考案の実施形態を示す斜視図である。
【図２】同上縦断面図である。
【図３】バスを組立てた状態を示す斜視図である。
【図４】飛行機を組立てた状態を示す斜視図である。
【符号の説明】
【００１５】
１      箱  体
２      組立てブロック
３      凸  部
４      嵌め込み孔
５      凹  部
６      車  輪
７      透  孔
８      回転部
【図１】
0003127427.tif 000003
【図２】
0003127427.tif 000004
【図３】
0003127427.tif 000005
【図４】
0003127427.tif 000006
(57)【要約】【課題】本考案は技術的なものでは無く“写経”に変わるものでこれからの日本の高齢化が急速に進む世状に高齢者が目標のある楽しみをもって健康で長生きして戴くための“ぬり経”で    在ります。【解決手段】本考案は文字を書くのが苦手な人，文字を書く事が辛くくなってきた人、漢字が苦手な欧米人に  簡単にできる“塗り経”    で在る。【選択図】図３
0003127450.tif 000002
【実用新案登録請求の範囲】
【考案の詳細な説明】
１，般若心経  “ぬり経”
２，白ぬきの千社文字で書かれた“般若心経”のお経を自由に塗りこんでいく。
３，１．ぼけ防止。
２．霊見あらたか。
３．心やすらぎ。
４．塗りこみ完了後  近くのお寺にて朱印とりをして頂くのも楽しみ．
0003127450.tif 000003
【手続補正書】
【提出日】平成17年11月9日(2005.11.9)
【手続補正１】
【補正対象書類名】実用新案登録請求の範囲
【補正対象項目名】全文
【補正方法】変更
【補正の内容】
【実用新案登録請求の範囲】
【請求項１】
図の中央に各尊寺の朱印納経を戴く枠を配置し周囲に  白ぬき千社文字の般若心経のお経をぬり字していくものである
【手続補正２】
【補正対象書類名】明細書
【補正対象項目名】全文
【補正方法】変更
【補正の内容】
【考案の詳細な説明】
【技術の分野】
【０００１】本考案は  般若心経の軽点を白ぬき文字に色を塗りこんでいくものである
【背景技術】
【０００２】従来“写経”というものがありますがこれに追従する形で般若心経のお経に親しんで戴きたい。
【考案が解決しようとする課題】
【０００３】従来の写経を苦手とする人  漢字が苦手な欧米人  字が書きづらくなってきた人そろそろぼけ防止にとお思いの人に最適。
【考案の効果】
【０００５】老化・ぼけ防止。塗り込みの達成の喜び。朱印納経の楽しみ。
【考案を実施するための裁量の形態】
【０００６】日本全国及びアジア・諸外国の仏教に関心ののある  すべての人に  親しんでもらえます。。
【実施例】
【０００７】塗り込み仕上がり後  近くのお寺又は信仰するお寺で朱印納経して戴くと  より一層楽しい出来上がりになります。
【産業上の利用可能性】
【０００８】各種印刷物・襖紙・掛け軸・カレンダー室内装飾。
【図面の簡単な説明】
【０００９】
【図１】  横１６行  縦２２文字
【図２】  用紙サイズ  Ａ１大
【図３】  中央は朱印納経箇所枠
【図４】  １文字の実寸大で塗り込み前と塗り込み後
【符号の説明】
【００１０】１    白ぬきの千社文字
２    尊寺の朱印納経の枠く
３    塗り込み前の千社文字
４    塗り込み後の千社文字
【手続補正３】
【補正対象書類名】図面
【補正対象項目名】全図
【補正方法】変更
【補正の内容】
【図１】
0003127450.tif 000004
【図２】
0003127450.tif 000005
【図３】
0003127450.tif 000006
【図４】
0003127450.tif 000007
【手続補正書】
【提出日】平成18年3月28日(2006.3.28)
【手続補正１】
【補正対象書類名】実用新案登録請求の範囲
【補正対象項目名】全文
【補正方法】変更
【補正の内容】
【実用新案登録請求の範囲】
【請求項１】
Ａ１大用紙にお経の“般若心経”を縦２１個、横１７個、計３５７個の白ぬき千社文字を配置し、中央部に寺社の朱印をして戴く枠を設けた印刷様式の物品である。
【手続補正２】
【補正対象書類名】明細書
【補正対象項目名】全文
【補正方法】変更
【補正の内容】
【考案の詳細な説明】
【技術の分野】
【０００１】本考案はお経の般若心経の白ぬき文字に色を塗りこんでいくものである。
【背景技術】
【０００２】従来“写経”というものがありますが、これに追従する形で般若心経のお経に親しんで戴くものである。
【考案が解決しようとする課題】
【０００３】従来の写経を苦手とする人、漢字が苦手な欧米人、字が書きづらくなってきた人に最適
【考案の効果】
【０００５】脳の活性化を図り、老化・ぼけ防止。塗り込みの達成の喜び。寺社で朱印して戴く楽しみ。
【考案を実施するための裁量の形態】
【０００６】日本全国及びアジア・諸外国の仏教に関心のあるすべての人に親しんでもらえます。
【実施例】
【０００７】白ぬき文字の塗り込み後、お寺又は信仰するお寺で朱印して戴くと、より一層楽しい出来上がりになります。
【産業上の利用可能性】
【０００８】各種印刷物・襖紙・掛け軸・カレンダー・タイル・室内装飾。
【図面の簡単な説明】
【０００９】
【図１】  横１７行  縦２１文字
【図２】  用紙サイズ  Ａ１大
【図３】  中央は寺社での朱印枠
【図４】  １文字の実寸大で塗り込み前と塗り込み後
【符号の説明】
【００１０】１      白ぬきの千社文字
２      尊寺の朱印枠
３      塗り込み前の千社文字
４      塗り込み後の千社文字
(57)【要約】      （修正有）【課題】本考案は、傘のもつ本来の効用を損なわないままに、傘の幅を狭くすることで、混雑する場所や狭い路地などで安全で安心して利用ができる、安価である傘を提供する。【解決手段】傘幅を狭くするために、傘の左右に折り畳みの関節軸を設けて、それを連動構造にして関節軸から先端を下向に折りまげて垂れ傘にする。傘幅を狭くすることによる、雨の吹き込みを少なく防いだり、直射の日除け効果又傘骨による隣同士の危険防止等を垂れ傘でもって、性能付加するものである。【選択図】図２
0003127468.tif 000002
【実用新案登録請求の範囲】
【請求項１】
傘幅に関節構造をすることで、垂れ傘を設けて傘幅を狭くした、折り畳み安全傘。
【考案の詳細な説明】
【技術分野】
【０００１】本考案は、日常使用する雨傘や日傘などに関するものである。
【技術背景】
【０００２】従来、傘の形状はデザインを凝らしたり、構造的に使い勝手の良いものが工夫されている。
しかしながら、それはまぎれもなく雨や日射を防ぐためのものである。
【考案の開示】
【考案が解決しようとする課題】
【０００３】上述の如く、従来雨降りの時や日除け傘として利用するのであるが、混雑する街路都邑などでは、個々の傘を広げた占有による混雑に、一層の拍車がかかるのである。【０００４】傘を挿して歩いてる時や、自転車に固定して走行中の際、電柱や建物その他の障害物があって通行できなかったりその他、隣同士の傘骨が当り危険を伴うことがある。【０００５】本考案はこのような状況を課題として、その目的は傘の幅を狭くすることで、混雑する場所や狭い路地などではより安全で利用できることを課題とするのである。
【課題を解決するための手段】
【０００６】広げた傘の左右を、決めた位置で折り畳み式の関節軸を設けることで、傘幅を狭くする。【０００７】傘骨と連動構造にして、関節軸から先端は下方向に折りまげて垂れ傘にする。【０００８】垂れ傘は、傘幅を狭くすることによる雨の吹き込みを少なく防いだり、日除け効果を増すことと、また意匠的な加味を付加するものである。【０００９】関節軸や垂れ傘は、傘の横幅のみに、その手段の範囲を限定するものではない。
【考案の効果】
【００１０】従来の傘を挿して、並列に並んで２人しか通り抜けられなかった、ところが結果本考案の傘を挿して３人が通り抜けられて約１，５倍の効果があり、そして関節軸から下方向に折りまげて垂れ傘を設けることで、雨にかかる具合は損なわず、また日除け効果がある。【００１１】関節軸から下方向にまげることで、隣同士による接触が起きても傘骨が直接に当たらず安全である。
また、自転車に取り付けてもその車副から大きくふくらみがないので安心である。【００１２】傘に関節軸を設ける事だけで、取扱い方法は従来の傘と全く変わらず、安全で安価で安心して利用ができる。
【考案を実施するための最良の形態】
【００１３】主骨▲７▼と垂れ骨▲５▼を関節軸▲１▼で関節を設ける。
そして、力骨▲６▼垂れ骨▲５▼に対して中間骨▲４▼を上軸▲２▼と下軸▲３▼でもって連動構造にする。【００１４】関節軸▲１▼の主骨と垂れ骨の部分を丸み状にする、それは傘の骨と張り生地との摩擦保護と、角面による危険防止や意匠的に加味するのである。【００１５】折り畳みから広げていくと、力骨▲６▼の移動によって中間力骨▲４▼の移動が始まり、主骨▲７▼の開く行動に干渉せずに垂れ骨▲５▼を中間骨▲４▼によって定位置へ制御する連動構造が、その仕組みである。
また、広げた状態から折り畳み動作はその正反対でありそして、従来の傘とはその取扱い方法は変わるところなく全く同じである。
【実施例】
【００１６】例えば、傘の大きさが１，１ｍとして狭くした傘の横幅を０，７ｍと定めた場合、関節軸下から垂れ傘の寸法は０，２ｍとなる。つまり、垂れ傘を設けることで傘幅が０，４ｍ狭くしても、その効果が変わらず維持できるのである。【００１７】垂れ傘を０，２ｍ以上定めるのは、特に女性のうなじや顔メイクに雨しぶきで傷つけたり、そして日除けの保護をするための相乗効果が期待できるのである。【００１８】人の幅や、自転車の車副を０，５５ｍまでと定めた場合に傘の幅を０，７ｍに定めることで、人の肩幅に対して凡そ０，１ｍづつの空間を設けることになる。
しかし、それぞれの寸法については限定の範囲ではない。
【産業上の利用可能性】
【００１９】本考案の傘は、年間を通して激しく変わる天候に備えての、半消耗的必需品である。
依って、その製造分野そして販売分野などの産業に大いに寄与するものである。
【図面の簡単な説明】
【００２０】
【図１】折り畳んだ傘骨の断面図
【図２】傘の幅を狭くした断面図
【図３】完成した        平面図
【図４】幅を狭く完成した側面図
【符号の説明】
１          関節軸  ▲１▼
２          上軸  ▲２▼
３          下軸  ▲３▼
４          中間骨  ▲４▼
５          垂れ骨  ▲５▼
６          力骨  ▲６▼
７          主骨  ▲７▼
８          柄軸  ▲８▼
９          張り生地  ▲９▼
【図１】
0003127468.tif 000003
【図２】
0003127468.tif 000004
【図３】
0003127468.tif 000005
【図４】
0003127468.tif 000006
【手続補正書】
【提出日】平成18年8月31日(2006.8.31)
【手続補正１】
【補正対象書類名】実用新案登録請求の範囲
【補正対象項目名】全文
【補正方法】変更
【補正の内容】
【実用新案登録請求の範囲】
【請求項１】
傘骨の尖端近くに決めた位置で、傘骨が屈折自在できる軸接合による関節構造を設けて、傘幅を狭くできる安全傘。
(57)【要約】【課題】  ポリエチレン製などの柔らかいチュ−ブ状容器中のペ−スト状内容物を、使用につれて内容物が減少していっても効率良く押し出せるようにする。既存のものは内容物が減るにつれて押し出そうとすると空いた後部の部分にも逆流して、両手で押すとか手間がかかり使いにくかった。【解決手段】      チュ−ブ容器の内壁にファスナ−状の密着部分を設け、内容物の減少につれて密着部分を密着させてそこから後部を密封してしまい、内容物が逆流しないようにして効率良く押し出せるようにした【選択図】図１
0003127470.tif 000002
【実用新案登録請求の範囲】
【請求項１】
チュ−ブ状容器の内壁に  ファスナ−様の密着できる部分を設け、内容物が少なくなると押し出そうとするよりも、後部へ逆流してしまうのを防ぐ、逆流防止付き容器。
【考案の詳細な説明】
【考案の開示】
【考案が解決しようとする課題】
【０００１】歯磨き、マヨネーズ、練り辛子、靴墨、パテ、クリ−ムなど、およそペ−スト状の内容物を容器の外側を圧迫することで押し出す方式の容器では、内容物が多い使い始めのうちはいいが、内容物が少なくなってくるにつれて押された内容物は空隙のできた後部に逆流する形になり、必要量を前部の口から押し出すためには両手を使うなどして後部をも圧縮し逆流しないように手間をかけざるを得なかった。
【課題を解決するための手段】
【０００２】容器の内壁に、ファスナ−状の密着できる部分を適数個内装させておく。
【考案の効果】
【０００３】内容物が消費されて減少するにつれて後部から前部へ内容物を押しあげた後内壁後部のファスナ−状密着部分を密着させてこの時点で密封して後部への内容物の逆流は不可能にさせて、以後の内容物の押し出しを効率良くするものである。
かつてのように金属製の場合は内容物が減少するにつれて後部から巻き上げていけばよかった。ポリ容器の長所である柔軟さが、ペ−スト状や乳濁状の内容物を押し出すという使用方法では不都合を生み出すわけで、巻き上げ用に別に器具５  を用意することもあるが、本考案ではそれは不要になり簡単に効率良く内容物を押し出して使用できることになる。
【図面の簡単な説明】
【０００４】
【図１】チュ−ブ容器の内壁に密着部分を設けた考案品の縦断面
【図２】従来品の使用途中の不都合な状態の見取り図
【図３】使用中内容物の減少にあわせて後部の密着部分を密閉させた状態の見取り図
【図４】巻き上げ器具を使ったチュ−ブ容器の使用例の見取り図
【符号の説明】
【０００５】１  チュ−ブ容器本体
２  内壁に設けられた密着部分
３  チュ−ブ容器の後部部分
４  チュ−ブ容器の内容物出口
５  巻き上げ器具
【図１】
0003127470.tif 000003
【図２】
0003127470.tif 000004
【図３】
0003127470.tif 000005
【図４】
0003127470.tif 000006
【手続補正書】
【提出日】平成18年9月1日(2006.9.1)
【手続補正１】
【補正対象書類名】実用新案登録請求の範囲
【補正対象項目名】全文
【補正方法】変更
【補正の内容】
【実用新案登録請求の範囲】
【請求項１】
ペースト状の内容物を収納すべく弾性変形可能な管状本体部の一端部を閉塞すると共に他端部に絞りをいれて、細管状に形成して、前記内容物の吐出口を形成した容器であって、前記管状本体内部の壁面に互いに対向するように複数段の凸部および凹部を、前記管状本体部の長軸線上に沿って形成し、前記凸部および凹部のうち、前記容器閉塞部端に近い側から順次互いに嵌合させることにより、管状本体部が扁平に構成されその嵌合部が堰きとなって、前記内容物が前記吐出口方向から前記閉塞部側に逆流しないように構成したことを特徴とする逆流防止機能付き容器。
(57)【要約】      （修正有）【課題】パワーシャベルにおいて掘削作業の後に整地作業が必要になるそのため掘削作業用バケットに整地作業用アタッチメントを現場でも簡単にボルト２本で着脱出来る様に改革した平瓜用アタッチメントである。【解決手段】掘削用バケット図１の１の瓜図１の２に鉄製平瓜サック式図２の３をかぶせ図１の４の穴と図１の４の穴を合せてボルト、ナット２本で取付る。【選択図】図１
0003127462.tif 000002
【実用新案登録請求の範囲】
【請求項１】
バケット図１の１瓜図１の２に鉄製平瓜図２の３をかぶせ図１の４と図２の４の穴にボルト２本で取付る平瓜はバケットの大きさに合せ鉄板を溶接で作成。パワーシャベルのバケット用アタッチメントです
特微はボルト２本で着脱出来現場でも簡単に出来る事
【考案の詳細な説明】
【技術分野】
【０００１】本考案は土木工事に使用されるパワーシャベルのバケットに用いるアタッチメントに関するものです
【背景技術】
【０００２】パワーシャベルは掘削作業が主目的の土木機械であるが掘削作業の後に整地作業を行なう時もある
この場合堀作用バケットの先端に堀削用のバケット幅と瓜の長さを一辺とする形状の鉄板を溶接し鉄板の端面で整地作業をする方法が行われている
【考案が解決しようとする課題】
【０００３】掘削作業を終了して整地作業の移る場合バケットに鉄板と溶接する方法は現場での溶接は面倒で有り次に再々堀削作業に移る場合溶接した前記鉄板を取除し作業は困難である
【課題を解決するための手段】
【０００４】この考案の目的は困難を伴わず堀削作業及び整地作業の両方を行なうことの出来るパワーシャベル用アタッチメントです
【考案の効果】
【０００５】上記の目的を達成する考案について逑るとそれはバケット図１−２瓜を覆う鉄製の平瓜図３をサック式で取付ボルト、ナット２本で固定出来る平地作業用のパワーシャベルバケット用アタッチメントです
【考案の実施するための最良の形態】
【０００６】バケットの瓜図１−２に図２−３の平瓜アッセンブリをサック式に装着しボルト、ナット２本で固定する平地作業用アタッチメントです
【実施例】
【０００７】掘削用バケットに平瓜アタッチメントを装着したのが図３です
構造はきわめて簡単で現場での脱着もボルト２本でこれも簡単に出来る事です
【図面の簡単な説明】
【０００８】
【図１】バケットの正面図です  バケットの下面に１４ｍ／ｍの穴２個明けます
【図２】バケットに取付る平瓜です  １は厚さ１、２ｃｍの鉄板で幅は４ｃｍの鉄板です  長さ（各寸法はバケットに合せます  その鉄板の先にそれぞれ１４ｍ／ｍの穴を明けます  ２はバケットの平瓜です  厚さは１、２ｃｍの鉄板で幅、長さはバケットの大きさに合せます  平板に図２の１をバケットに合せ溶接します  ３はバケットの瓜にサック式で入る部分です  図２の３は６ｍ／ｍの鉄板を用い幅、長さ、角度は瓜に合せて作成し平板に溶接します
【図３】バケット本体に平瓜を取付た状態です  １４ｍ／ｍの穴に固いボルト、ナット２本で取付ます
【図４】平瓜の正面図です
【図５】平瓜の側面図です
【符号の説明】
【０００９】１  バケット
２  瓜
３  平瓜アッセンブリ
４  平瓜用取付用穴
５  １４ｍ／ｍボルト、ナット
【図１】
0003127462.tif 000003
【図２】
0003127462.tif 000004
【図３】
0003127462.tif 000005
【図４】
0003127462.tif 000006
【図５】
0003127462.tif 000007
【手続補正書】
【提出日】平成18年9月5日(2006.9.5)
【手続補正１】
【補正対象書類名】実用新案登録請求の範囲
【補正対象項目名】全文
【補正方法】変更
【補正の内容】
【実用新案登録請求の範囲】
【請求項１】
パワーシャベル用アタッチメントであって
（イ）本体（２）は長方形の鉄板であって長手方向にはバケットを接続するための接続部（１）が溶接されている。
（ロ）本体（２）は接続部（１）をボルトで接続するため、接続部（１）の前部にはボルトを差し込むための穴が設けられている。
（ハ）本体（２）にはバケットのツメを差し込むための平爪アッセンブリ（３）が設けてある。
上記（イ）（ロ）（ハ）の構造より有するパワーシャベル用アタッチメント。
(57)【要約】【課題】玩具の銃において、主に稼動に際しガスを使用又は必要とするものは、稼動条件として周囲の温度がある程度の高温であることが必要となる。したがって、秋や冬の気温が下がる時期には稼動しづらくなる。【解決手段】玩具の銃において、主に稼動に際しガスを使用又は必要とするものの弾倉やその稼動用のガスを蓄える構造を有する貯蔵庫を保持又は保護するための袋状の構造もしくはそれに準ずる構造を有し、それに隣接または密着するように袋状の構造もしくはそれに準ずる、物が入るスペースを確保するための構造を同一の物体の内部構造として同時に設ける、又は同居させる構造を持った、もしくは持たせたもの。その構造を利用するための一手段として、暖器具を入れることで間接的に上記の課題を解決する手段とする。【選択図】図１
0003127466.tif 000002
【実用新案登録請求の範囲】
【請求項１】
（１）玩具の銃において、主に稼動に際しガスを使用又は必要とするものの弾倉やその稼動用のガスを蓄える構造を有する貯蔵庫を保持又は保護するための袋状の構造もしくはそれに準ずる構造を有する。
【請求項２】
（２）請求項１において示した構造に隣接または密着するように袋状の構造もしくはそれに準ずる、物が入るスペースを確保するための構造を同一の物体の内部構造として同時に設ける、又は同居させる構造を持った、もしくは持たせたもの。
【考案の詳細な説明】
【技術分野】
【０００１】本考案は玩具の銃において、主に稼動に際しガスを使用又は必要とするものの弾倉やその稼動用ガスを蓄える構造を有する貯蔵庫を保持又は保護すると同時に、暖めることを可能にするための道具に関する。
【技術背景】
【０００２】特になし
【考案の開示】
【考案が解決しようとする課題】
【０００３】玩具の銃において、主に稼動に際しガスを使用又は必要とするものは、稼動条件として周囲の温度がある程度の高温であることが必要となる。したがって、秋や冬の気温が下がる時期には稼動しづらくなる。
【課題を解決するための手段】
【０００４】玩具の銃において、主に稼動に際しガスを使用又は必要とするものの弾倉やその稼動用のガスを蓄える構造を有する貯蔵庫を保持又は保護するための袋状の構造もしくはそれに準ずる構造を有し、それに隣接または密着するように袋状の構造もしくはそれに準ずる、物が入るスペースを確保するための構造を同一の物体の内部構造として同時に設ける、又は同居させる構造を持った、もしくは持たせたもの。その構造を利用するための一手段として、暖器具を入れることで間接的に上記の課題を解決する手段とする。
【考案の効果】
【０００５】玩具の銃において、主に稼動に際しガスを使用又は必要とするものの弾倉やその稼動用のガスを蓄える構造を有する貯蔵庫を保持又は保護するための袋状の構造もしくはそれに準ずる構造を有した従来のものには、それに隣接または密着するように袋状の構造もしくはそれに準ずる、物が入るスペースを確保するための構造を同一の物体の内部構造として同時に設ける、又は同居させる構造を持っていない。そのため、低気温の状況において携帯しながらの暖気や整備器具の収納が不可能であった。
【考案を実施するための最良の形態】
【０００６】玩具の銃において、主に稼動に際しガスを使用又は必要とするものの弾倉やその稼動用のガスを蓄える構造を有する貯蔵庫を保持又は保護するための袋状の構造もしくはそれに準ずる構造を有し、それに隣接または密着するように袋状の構造もしくはそれに準ずる、物が入るスペースを確保するための構造を同一の物体の内部構造として同時に設ける、又は同居させる構造を持った、もしくは持たせたもの。
【図面の簡単な説明】
【０００７】
【図１】全体図
【図１】
0003127466.tif 000003
【手続補正書】
【提出日】平成18年8月31日(2006.8.31)
【手続補正１】
【補正対象書類名】実用新案登録請求の範囲
【補正対象項目名】全文
【補正方法】変更
【補正の内容】
【実用新案登録請求の範囲】
【請求項１】
玩具の銃において、主に稼動に際しガスを使用又は必要とするものの弾倉やその稼動用のガスを蓄える構造を有する貯蔵庫を保持又は保護するための袋状の構造もしくはそれに準ずる構造を有する玩具銃用弾倉又は稼動用ガス貯蔵庫保持暖袋。
【請求項２】
請求項１において示した構造に隣接または密着するように袋状の構造もしくはそれに準ずる、物が入るスペースを確保するための構造を同一の物体の内部構造として同時に設ける、又は同居させる構造を持った、もしくは持たせた玩具銃用弾倉又は稼動用ガス貯蔵庫保持暖袋。